(57)【要約】      （修正有）【課題】２線の信号線を経由して接続される端末間において伝送信号の一方向の伝送動作を行うにあたり、受信側の端末で正常にデータ受信ができた場合であっても、２線の接続状態の異常検出及びその報知を可能とする。【解決手段】信号線Ｌaを経由して接続される第１の端末１ａ及び第２の端末２ａのうち、第１の端末の送信側平衡／不平衡変換回路１１ａは、インピーダンスの整合を図り信号線に映像データや制御データ等の伝送信号を重畳する。第２の端末の平衡／不平衡変換回路２０ａは、インピーダンスの整合を図り信号線に重畳された第１の端末からの伝送信号を受信し、信号線を構成する２線にそれぞれ接続される平衡検出部２２ａは、２線の平衡状態の有無を検出し、平衡状態でないと検出された場合に不平衡検出信号を生成して警報制御回路２３ａに送出することにより、この信号を検出した警報制御回路は、２線の接続状態が異常であることを報知する。【選択図】図１
2012160833.tif 000002
【特許請求の範囲】
【請求項１】
第１の端末（１ａ）から信号線（Ｌa）を経由して第２の端末（２ａ）に映像データや制御データ等の伝送信号を送出するインターホン装置であって、
前記第１の端末は、インピーダンスの整合を図り前記信号線に前記伝送信号を重畳するための送信側平衡／不平衡変換回路（１１ａ）を備え、
前記第２の端末は、前記インピーダンスの整合を図り前記信号線に重畳された前記送信側の端末からの前記伝送信号を受信するための受信側平衡／不平衡変換回路（２０ａ）と、前記信号線を構成する２線（Ｌ1a、Ｌ2a）にそれぞれ接続され、前記２線の平衡状態の有無を検出し、前記平衡状態でないと検出された場合に不平衡検出信号を生成するための平衡検出部（２２ａ）と、前記平衡検出部からの前記不平衡検出信号により前記２線の接続状態が異常であることを報知するための警報制御回路（２３ａ）とを備えることを特徴とするインターホン装置。
【請求項２】
信号線（Ｌb）を経由して第１の端末（１ｂ）及び第２の端末（２ｂ）間で映像データや制御データ等の伝送信号を送受信するインターホン装置であって、
前記第１の端末及び第２の端末のうち送信側の端末は、インピーダンスの整合を図り前記信号線に前記伝送信号を重畳するための送信側平衡／不平衡変換回路（１１ｂ、２１ｂ）を備え、
前記第１の端末及び第２の端末のうち受信側の端末は、前記インピーダンスの整合を図り前記信号線に重畳された前記送信側の端末からの前記伝送信号を受信するための受信側平衡／不平衡変換回路（１２ｂ、２２ｂ）と、前記信号線を構成する２線（Ｌ1b、Ｌ2b）にそれぞれ接続され、前記２線の平衡状態の有無を検出し、前記平衡状態でないと検出された場合に不平衡検出信号を生成するための平衡検出部（１５ｂ、２５ｂ）と、前記平衡検出部からの前記不平衡検出信号により前記２線の接続状態が異常であることを報知するための警報制御回路（１６ｂ、２６ｂ）とを備えることを特徴とするインターホン装置。
【請求項３】
第１の端末（１ｃ）から信号線（Ｌc）を経由して第２の端末（２ｃ）に映像データや制御データ等の伝送信号を送出するインターホン装置であって、
前記第１の端末は、前記信号線との間のアイソレーションを確保してインピーダンスの整合を図り前記信号線に前記伝送信号を重畳するための送信トランス（１１ｃ）を備え、
前記第２の端末は、前記信号線との間の前記アイソレーションを確保して前記インピーダンスの整合を図り前記信号線に重畳された前記送信側の端末からの前記伝送信号を受信するための受信トランス（２０ｃ）と、前記信号線を構成する２線（Ｌ1c、Ｌ2c）にそれぞれ接続され、前記２線の平衡状態の有無を検出し、前記平衡状態でないと検出された場合に不平衡検出信号を生成するための平衡検出部（２２ｃ）と、前記平衡検出部からの前記不平衡検出信号により前記２線の接続状態が異常であることを報知するための警報制御回路（２３ｃ）とを備えることを特徴とするインターホン装置。
【請求項４】
信号線（Ｌd）を経由して第１の端末（１ｄ）及び第２の端末（２ｄ）間で映像データや制御データ等の伝送信号を送受信するインターホン装置であって、
前記第１の端末及び第２の端末のうち送信側の端末は、前記信号線との間のアイソレーションを確保してインピーダンスの整合を図り前記信号線に前記伝送信号を重畳するための送信トランス（１１ｄ、２１ｄ）を備え、
前記第１の端末及び第２の端末のうち受信側の端末は、前記信号線との間の前記アイソレーションを確保して前記インピーダンスの整合を図り前記信号線に重畳された前記送信側の端末からの前記伝送信号を受信するための受信トランス（１１ｄ、２１ｄ）と、前記信号線を構成する２線（Ｌ1d、Ｌ2d）にそれぞれ接続され、前記２線の平衡状態の有無を検出し、前記平衡状態でないと検出された場合に不平衡検出信号を生成するための平衡検出部（１５ｄ、２５ｄ）と、前記平衡検出部からの前記不平衡検出信号により前記２線の接続状態が異常であることを報知するための警報制御回路（１６ｄ、２６ｄ）とを備えることを特徴とするインターホン装置。
【請求項５】
前記平衡検出部は、前記信号線を構成する前記２線にそれぞれ対応して直列に設けられ、前記伝送信号が有する所定の周波数帯域において当該伝送信号をハイインピーダンスで前記信号線から取出すためのバッファ回路（２２０ａ、２２１ａ、１５０ｂ、１５１ｂ、２５０ｂ、２５１ｂ、２２０ｃ、２２１ｃ、１５０ｄ、１５１ｄ、２５０ｄ、２５１ｄ）、前記バッファ回路にて取出された前記伝送信号のうち前記所定の周波数帯域のみを通過させるためのフィルタ回路（２２２ａ、２２３ａ、１５２ｂ、１５３ｂ、２５２ｂ、２５３ｂ、２２２ｃ、２２３ｃ、１５２ｄ、１５３ｄ、２５２ｄ、２５３ｄ）、前記フィルタ回路の出力信号を直流レベルに変換するためのレベル変換回路（２２４ａ、２２５ａ、１５４ｂ、１５５ｂ、２５４ｂ、２５５ｂ、２２４ｃ、２２５ｃ、１５４ｄ、１５５ｄ、２５４ｄ、２５５ｄ）と、前記レベル変換回路の出力信号の直流レベルと所定の閾値レベルとを比較して前記信号線を構成する前記２線の平衡状態の有無を検出し、前記平衡状態でないと検出された場合に不平衡検出信号を生成するための平衡検出回路（２２６ａ、１５６ｂ、２５６ｂ、２２６ｃ、１５６ｄ、２５６ｄ）とを有することを特徴とする請求項１乃至請求項４のうち何れか１項記載のインターホン装置。
【請求項６】
前記平衡検出回路は、前記レベル変換回路の出力側に接続されるコンパレータ（２６０ａ、２６１ａ、１６０ｂ、１６１ｂ、２６０ｂ、２６１ｂ、２６０ｃ、２６１ｃ、１６０ｄ、１６１ｄ、２６０ｄ、２６１ｄ）と、前記コンパレータの出力側に接続されるＡＮＤ回路（２６２ａ、１６２ｂ、２６２ｂ、２６２ｃ、１６２ｄ、２６２ｄ）とを有し、
前記コンパレータは、前記信号線を構成する前記２線にそれぞれ対応して設けられることを特徴とする請求項５記載のインターホン装置。
【発明の詳細な説明】
【技術分野】
【０００１】
本発明は、インターホン装置に係り、特に、２線から構成される信号線を経由して接続された端末間において映像データや制御データ等の伝送信号の一方向の伝送動作又は双方向の伝送動作を行うインターホン装置に関する。
【背景技術】
【０００２】
従来から、この種のインターホン装置として、幹線と居室機間の電気的絶縁をとり、かつ待受時のインピーダンスは高く、通話時は伝送線路のインピーダンス特性に対応した終端回路を接続することにより、分岐線路による影響を軽減でき双方向の音声信号とデータ信号を伝送できる幹線を実現でき、またノイズに強いシステムを得ることができる共通線式インターホン装置が開示されている（例えば、特許文献１を参照。）。
【先行技術文献】
【特許文献】
【０００３】
【特許文献１】特開平９−６９８８２号公報
【発明の概要】
【発明が解決しようとする課題】
【０００４】
しかしながら、背景技術に記載した特許文献１の共通線式インターホン装置においては、幹線と居室機間の電気的絶縁をとることができるものの、例えば、幹線の片側が正常に接続されていない場合であっても受信側の居室機では音声信号とデータの受信が可能であるため、正常な動作しているように判断されることがあり、幹線の接続状態の異常検出及びその報知ができない難点があった。
【０００５】
本発明は、この難点を解消するためになされたもので、２線から構成される信号線を経由して接続された端末間において映像データや制御データ等の伝送信号の一方向の伝送動作又は双方向の伝送動作を行うにあたり、受信側の端末で正常にデータ受信ができた場合であっても、２線の接続状態の異常検出及びその報知が可能なインターホン装置を提供することを目的としている。
【課題を解決するための手段】
【０００６】
前述の目的を達成するため、本発明の第１の態様であるインターホン装置は、第１の端末から信号線を経由して第２の端末に映像データや制御データ等の伝送信号を送出するインターホン装置である。第１の端末は、インピーダンスの整合を図り信号線に伝送信号を重畳するための送信側平衡／不平衡変換回路を備えている。第２の端末は、インピーダンスの整合を図り信号線に重畳された送信側の端末からの伝送信号を受信するための受信側平衡／不平衡変換回路と、信号線を構成する２線にそれぞれ接続され、２線の平衡状態の有無を検出し、平衡状態でないと検出された場合に不平衡検出信号を生成するための平衡検出部と、平衡検出部からの不平衡検出信号により２線の接続状態が異常であることを報知するための警報制御回路とを備えている。
【０００７】
また、本発明の第２の態様であるインターホン装置は、信号線を経由して第１の端末及び第２の端末間で映像データや制御データ等の伝送信号を送受信するインターホン装置である。第１の端末及び第２の端末のうち送信側の端末は、インピーダンスの整合を図り信号線に伝送信号を重畳するための送信側平衡／不平衡変換回路を備えている。第１の端末及び第２の端末のうち受信側の端末は、インピーダンスの整合を図り信号線に重畳された送信側の端末からの伝送信号を受信するための受信側平衡／不平衡変換回路と、信号線を構成する２線にそれぞれ接続され、２線の平衡状態の有無を検出し、平衡状態でないと検出された場合に不平衡検出信号を生成するための平衡検出部と、平衡検出部からの不平衡検出信号により２線の接続状態が異常であることを報知するための警報制御回路とを備えている。
【０００８】
また、本発明の第３の態様であるインターホン装置は、第１の端末から信号線を経由して第２の端末に映像データや制御データ等の伝送信号を送出するインターホン装置である。第１の端末は、信号線との間のアイソレーションを確保してインピーダンスの整合を図り信号線に伝送信号を重畳するための送信トランスを備えている。第２の端末は、信号線との間のアイソレーションを確保してインピーダンスの整合を図り信号線に重畳された送信側の端末からの伝送信号を受信するための受信トランスと、信号線を構成する２線にそれぞれ接続され、２線の平衡状態の有無を検出し、平衡状態でないと検出された場合に不平衡検出信号を生成するための平衡検出部と、平衡検出部からの不平衡検出信号により２線の接続状態が異常であることを報知するための警報制御回路とを備えている。
【０００９】
また、本発明の第４の態様であるインターホン装置は、信号線を経由して第１の端末及び第２の端末間で映像データや制御データ等の伝送信号を送受信するインターホン装置である。第１の端末及び第２の端末のうち送信側の端末は、信号線との間のアイソレーションを確保してインピーダンスの整合を図り信号線に伝送信号を重畳するための送信トランスを備えている。第１の端末及び第２の端末のうち受信側の端末は、信号線との間のアイソレーションを確保してインピーダンスの整合を図り信号線に重畳された送信側の端末からの伝送信号を受信するための受信トランスと、信号線を構成する２線にそれぞれ接続され、２線の平衡状態の有無を検出し、平衡状態でないと検出された場合に不平衡検出信号を生成するための平衡検出部と、平衡検出部からの不平衡検出信号により２線の接続状態が異常であることを報知するための警報制御回路とを備えている。
【００１０】
また、本発明の第５の態様であるインターホン装置は、本発明の第１の態様乃至第４の態様のうち何れか１の態様において、平衡検出部は、信号線を構成する２線にそれぞれ対応して直列に設けられ、伝送信号が有する所定の周波数帯域において当該伝送信号をハイインピーダンスで信号線から取出すためのバッファ回路、バッファ回路にて取出された伝送信号のうち所定の周波数帯域のみを通過させるためのフィルタ回路、フィルタ回路の出力信号を直流レベルに変換するためのレベル変換回路と、レベル変換回路の出力信号の直流レベルと所定の閾値レベルとを比較して信号線を構成する２線の平衡状態の有無を検出し、平衡状態でないと検出された場合に不平衡検出信号を生成するための平衡検出回路とを有している。
【００１１】
また、本発明の第６の態様であるインターホン装置は、本発明の第５の態様において、平衡検出回路は、レベル変換回路の出力側に接続されるコンパレータと、コンパレータの出力側に接続されるＡＮＤ回路とを有し、コンパレータは、信号線を構成する２線にそれぞれ対応して設けられている。
【発明の効果】
【００１２】
本発明のインターホン装置によれば、２線から構成される信号線を経由して接続された端末間において映像データや制御データ等の伝送信号の一方向の伝送動作又は双方向の伝送動作を行うにあたり、受信側の端末において２線の平衡状態の有無を検出し、平衡状態でないと検出された場合に２線の接続状態が異常であることを報知することができる。これにより、受信側の端末で正常にデータ受信ができた場合であっても、２線の接続状態の異常検出及びその報知が可能となる。
【図面の簡単な説明】
【００１３】
【図１】図１は、本発明の第１の実施例によるインターホン装置の具体的な構成を示す回路ブロック図である。
【図２】図２は、本発明の第２の実施例によるインターホン装置の具体的な構成を示す回路ブロック図である。
【図３】図３は、本発明の第３の実施例によるインターホン装置の具体的な構成を示す回路ブロック図である。
【図４】図４は、本発明の第４の実施例によるインターホン装置の具体的な構成を示す回路ブロック図である。
【発明を実施するための形態】
【００１４】
以下、本発明のインターホン装置を適用した実施の形態例について、図面を参照して説明する。
【００１５】
最初に、本発明の第１の実施例によるインターホン装置について、図１の回路ブロック図を参照して説明する。
【００１６】
図１に示すインターホン装置は、第１の端末１ａ及び第２の端末２ａが２線Ｌ1a、Ｌ2aから構成される信号線Ｌaを経由して接続され、この信号線Ｌaを経由して第１の端末１ａから第２の端末２ａに映像データや制御データ等の伝送信号を送出する当該装置である。ここで、信号線Ｌaを構成する２線Ｌ1a、Ｌ2aとしては、例えば、２線平衡ケーブルが好適とされる。
【００１７】
第１の端末１ａには、映像データや制御データ等の伝送信号を送出するためのデータ送出（バッファ）部１０ａと、インピーダンスの整合を図り、データ送出部１０ａから送出された伝送信号を信号線Ｌaに重畳するための送信側平衡／不平衡変換回路１１ａとを備えている。
【００１８】
第２の端末２ａには、インピーダンスの整合を図り、信号線Ｌaに重畳された第１の端末１ａからの伝送信号を受信するための受信側平衡／不平衡変換回路２０ａと、受信側平衡／不平衡変換回路２０ａにて受信された伝送信号を検出するためのデータ検出（バッファ）部２１ａと、信号線Ｌaを構成する２線Ｌ1a、Ｌ2aにそれぞれ接続され、２線Ｌ1a、Ｌ2aの平衡状態の有無を検出し、平衡状態でないと検出された場合に不平衡検出信号を生成するための平衡検出部２２ａと、平衡検出部２２ａにて生成された不平衡検出信号により２線Ｌ1a、Ｌ2aの接続状態が異常であることを報知するための警報制御回路２３ａとを備えている。なお、警報制御回路２３ａは、通常、データ検出部２１ａにおける伝送信号の検出の有無を確認することができる。
【００１９】
この第２の端末２ａにおいて、平衡検出部２２ａは、信号線Ｌaを構成する２線Ｌ1a、Ｌ2aに接続される第１の端末１ａの送信側平衡／不平衡変換回路１１ａと受信側平衡／不平衡変換回路２０ａの間から分岐して設けられ、第１の端末１ａからの伝送信号が有する所定の周波数帯域、例えば、映像データであれば６〜１８ＭＨｚ、制御データであれば１．８〜２．０ＭＨｚにおいて当該伝送信号をハイインピーダンスで信号線Ｌaから取出すためのバッファ回路２２０ａ、２２１ａと、バッファ回路２２０ａ、２２１ａにて取出された伝送信号のうち前述の所定の周波数帯域のみを通過させるためのフィルタ回路２２２ａ、２２３ａと、フィルタ回路２２２ａ、２２３ａの出力信号を直流レベルに変換するためのレベル変換回路２２４ａ、２２５ａと、レベル変換回路２２４ａ、２２５ａの出力信号の直流レベルと所定の閾値レベルとを比較して信号線Ｌaを構成する２線Ｌ1a、Ｌ2aの平衡状態の有無を検出し、平衡状態でないと検出された場合に不平衡検出信号を生成して警報制御回路２３ａに送出するための平衡検出回路２２６ａとを有している。
【００２０】
また、第２の端末２ａの平衡検出部２２ａにおいて、平衡検出回路２２６ａは、（−）側がレベル変換回路２２４ａ、２２５ａの出力側に、（＋）側が（予め設定されている閾値の直流レベルである）基準電位点Ｖ0にそれぞれ接続され、信号線Ｌaを構成する２線Ｌ1a、Ｌ2aにそれぞれ対応して設けられるコンパレータ２６０ａ、２６１ａと、コンパレータ２６０ａ、２６１ａの出力側に接続されるＡＮＤ回路２６２ａとを有しており、このＡＮＤ回路２６２ａの出力側には警報制御回路２３ａが接続されている。
【００２１】
このように構成された本発明の第１の実施例によるインターホン装置において、以下、具体的な動作について説明する。
【００２２】
図１に示す第１の端末１ａの送信側平衡／不平衡変換回路１１ａは、データ送出部１０ａからの映像データや制御データ等の伝送信号についてインピーダンスの整合を図った状態で信号線Ｌaを構成する２線Ｌ1a、Ｌ2aに重畳させ、第２の端末２ａに平衡伝送する。
【００２３】
第２の端末２ａでは、信号線Ｌaを構成する２線Ｌ1a、Ｌ2aに重畳されて第１の端末１ａから平衡伝送されてきた伝送信号を受信側平衡／不平衡変換回路２０ａにて受信することにより、この伝送信号は、データ検出部２１ａに送出される。
【００２４】
ここで、第２の端末２ａの平衡検出部２２ａにおいて、バッファ回路２２０ａ、２２１ａはそれぞれ、信号線Ｌaを構成する２線Ｌ1a、Ｌ2aに重畳されて第１の端末１ａから平衡伝送されてきた伝送信号が有する前述の所定の周波数帯域において当該伝送信号をハイインピーダンスで信号線から取出す、例えば、信号線Ｌaのインピーダンスが７５Ωの場合、それよりも大きい値の１ＭΩで取出し、フィルタ回路２２２ａ、２２３ａに送出する。このフィルタ回路２２２ａ、２２３ａはそれぞれ、バッファ回路２２０ａ、２２１ａにて取出された伝送信号のうち前述の所定の周波数帯域のみを通過させた後、レベル変換回路２２４ａ、２２５ａに送出することにより、当該レベル変換回路を経由して直流レベルに変換された直流レベル信号Ｓ1a、Ｓ2aが平衡検出回路２２６ａを構成するコンパレータ２６０ａ、２６１ａの（−）側に入力される。
【００２５】
また、第２の端末２ａの平衡検出部２２ａにおいて、平衡検出回路２２６ａを構成するコンパレータ２６０ａ、２６１ａはそれぞれ、（−）側に入力された直流レベル信号Ｓ1a、Ｓ2aの当該直流レベルと予め設定されている閾値の直流レベルＶ0とを比較し、その比較結果の電気信号をＡＮＤ回路２６２ａに送出する。このＡＮＤ回路２６２ａでは、コンパレータ２６０ａ、２６１ａからのそれぞれの電気信号として、「Ｓ1a＞Ｖ0、Ｓ2a＞Ｖ0」の関係を有していれば、信号線Lａを構成する２線Ｌ1a、Ｌ2aが平衡状態であると判断する一方、「Ｓ1a≦Ｖ0、Ｓ2a＞Ｖ0」又は「Ｓ1a＞Ｖ0、Ｓ2a≦Ｖ0」の関係を有していれば、２線Ｌ1a、Ｌ2aが不平衡状態であると判断して不平衡検出信号を生成し、警報制御回路２３ａに送出する。
【００２６】
すなわち、第２の端末２ａによれば、受信側平衡／不平衡変換回路２０ａを経由して信号線Ｌaを構成する２線Ｌ1a、Ｌ2aに接続されるデータ検出部２１ａにて第１の端末１ａからの伝送信号を正常に検出できた場合であっても、これを確認することが可能な警報制御回路２３ａにて不平衡検出信号が検出された場合には、２線Ｌ1a、Ｌ2aの接続状態が異常であると判断し、その旨の報知、例えば、音響出力手段や映像表示手段を利用した警報報知を行うことができる。
【００２７】
次に、本発明の第２の実施例によるインターホン装置について、図２の回路ブロック図を参照して説明する。
【００２８】
図２に示すインターホン装置は、第１の端末１ｂ及び第２の端末２ｂが２線Ｌ1b、Ｌ2bから構成される信号線Ｌbを経由して接続され、この信号線Ｌbを経由して第１の端末１ｂ及び第２の端末２ｂ間で映像データや制御データ等の伝送信号を送受信する当該装置である。ここで、信号線Ｌbを構成する２線Ｌ1b、Ｌ2bとしては、例えば、２線平衡ケーブルが好適とされる。
【００２９】
第１の端末１ｂ及び第２の端末２ｂは同様な構成であり、映像データや制御データ等の伝送信号を送出するためのデータ送出（バッファ）部１０ｂ、２０ｂと、インピーダンスの整合を図り、データ送出部１０ｂ、２０ｂから送出された伝送信号を信号線Ｌbに重畳するとともに、信号線Ｌbに重畳されて送信側の当該端末から伝送されてくる信号（伝送信号）を受信するための（送信側／受信側）平衡／不平衡変換回路１１ｂ、２１ｂと、（受信側）平衡／不平衡変換回路１１ｂ、２１ｂにて受信された伝送信号を検出するためのデータ検出（バッファ）部１２ｂ、２２ｂと、データ送出部１０ｂ、２０ｂからの伝送信号が有する所定の周波数帯域、例えば、映像データであれば６〜１８ＭＨｚ、制御データであれば１．８〜２．０ＭＨｚのみを通過させ、データ検出部１２ｂ、２２ｂへのデータ帰還を防止するための（送信側）フィルタ回路１３ｂ、２３ｂと、（受信側）平衡／不平衡変換回路１１ｂ、２１ｂにて受信された伝送信号が有する前述の所定の周波数帯域のみを通過させてデータ検出部１２ｂ、２２ｂに送出する一方、（送信側）フィルタ回路１３ｂ、２３ｂからデータ検出部１２ｂ、２２ｂへのデータ帰還を防止するための（受信側）フィルタ回路１４ｂ、２４ｂと、信号線Ｌbを構成する２線Ｌ1b、Ｌ2bにそれぞれ接続され、２線Ｌ1b、Ｌ2bの平衡状態の有無を検出し、平衡状態でないと検出された場合に不平衡検出信号を生成するための平衡検出部１５ｂ、２５ｂと、平衡検出部１５ｂ、２５ｂからの不平衡検出信号により２線Ｌ1b、Ｌ2bの接続状態が異常であることを報知するための警報制御回路１６ｂ、２６ｂとを備えている。なお、警報制御回路１６ｂ、２６ｂは、通常、データ検出部１２ｂ、２２ｂにおける伝送信号の検出の有無を確認することができる。
【００３０】
この第１の端末１ｂ及び第２の端末２ｂにおいて、平衡検出部１５ｂ、２５ｂは、信号線Ｌbを構成する２線Ｌ1b、Ｌ2bに接続される第１の端末１ｂの（送信側／受信側）平衡／不平衡変換回路１１ｂと（送信側／受信側）平衡／不平衡変換回路２１ｂの間から分岐して設けられ、送信側の当該端末からの伝送信号が有する前述の所定の周波数帯域において当該伝送信号をハイインピーダンスで信号線Ｌbから取出すためのバッファ回路１５０ｂ、１５１ｂ、２５０ｂ、２５１ｂと、バッファ回路１５０ｂ、１５１ｂ、２５０ｂ、２５１ｂにて取出された伝送信号のうち前述の所定の周波数帯域のみを通過させるためのフィルタ回路１５２ｂ、１５３ｂ、２５２ｂ、２５３ｂと、フィルタ回路１５２ｂ、１５３ｂ、２５２ｂ、２５３ｂの出力信号を直流レベルに変換するためのレベル変換回路１５４ｂ、１５５ｂ、２５４ｂ、２５５ｂと、レベル変換回路１５４ｂ、１５５ｂ、２５４ｂ、２５５ｂの出力信号の直流レベルと所定の閾値レベルとを比較して信号線Ｌbを構成する２線Ｌ1b、Ｌ2bの平衡状態の有無を検出し、平衡状態でないと検出された場合に不平衡検出信号を生成して警報制御回路１６ｂ、２６ｂに送出するための平衡検出回路１５６ｂ、２５６ｂとを有している。
【００３１】
また、第１の端末１ｂ及び第２の端末２ｂの平衡検出部１５ｂ、２５ｂにおいて、平衡検出回路１５６ｂ、２５６ｂは、（−）側がレベル変換回路１５４ｂ、１５５ｂ、２５４ｂ、２５５ｂの出力側に、（＋）側が（予め設定されている閾値の直流レベルである）基準電位点Ｖ0にそれぞれ接続され、信号線Ｌbを構成する２線Ｌ1b、Ｌ2bにそれぞれ対応して設けられるコンパレータ１６０ｂ、１６１ｂ、２６０ｂ、２６１ｂと、コンパレータ１６０ｂ、１６１ｂ、２６０ｂ、２６１ｂの出力側に接続されるＡＮＤ回路１６２ｂ、２６２ｂとを有しており、このＡＮＤ回路１６２ｂ、２６２ｂの出力側には警報制御回路１６ｂ、２６ｂが接続されている。
【００３２】
このように構成された本発明の第２の実施例によるインターホン装置において、以下、具体的な動作について説明する。
【００３３】
図２に示す第１の端末１ｂ及び第２の端末２ｂのうち、ここでは、第２の端末２ｂを送信側の当該端末として適用するにあたり、第２の端末２ｂの（送信側）平衡／不平衡変換回路２１ｂは、（送信側）フィルタ回路２３ｂを経由してデータ送出部２０ｂから伝送されてくる映像データや制御データ等の伝送信号についてインピーダンスの整合を図った状態で信号線Ｌbを構成する２線Ｌ1b、Ｌ2bに重畳させ、第１の端末１ｂに平衡伝送する。
【００３４】
第１の端末１ｂでは、信号線Ｌbを構成する２線Ｌ1b、Ｌ2bに重畳されて第２の端末２ｂから平衡伝送されてきた伝送信号を（受信側）平衡／不平衡変換回路１１ｂにて受信することにより、この伝送信号は、（受信側）フィルタ回路１４ｂを経由してデータ検出部１２ｂに送出される。
【００３５】
ここで、第１の端末１ｂの平衡検出部１５ｂにおいて、バッファ回路１５０ｂ、１５１ｂはそれぞれ、信号線Ｌbを構成する２線Ｌ1b、Ｌ2bに重畳されて第２の端末２ｂから平衡伝送されてきた伝送信号が有する前述の所定の周波数帯域において当該伝送信号をハイインピーダンスで信号線から取出す、例えば、信号線Ｌbのインピーダンスが７５Ωの場合、それよりも大きい値の１ＭΩで取出し、フィルタ回路１５２ｂ、１５３ｂに送出する。このフィルタ回路１５２ｂ、１５３ｂはそれぞれ、バッファ回路１５０ｂ、１５１ｂにて取出された伝送信号のうち前述の所定の周波数帯域のみを通過させた後、レベル変換回路１５４ｂ、１５５ｂに送出することにより、当該レベル変換回路を経由して直流レベルに変換された直流レベル信号Ｓ1b、Ｓ2bが平衡検出回路１５６ｂを構成するコンパレータ１６０ｂ、１６１ｂの（−）側に入力される。
【００３６】
また、第１の端末１ｂの平衡検出部１５ｂにおいて、平衡検出回路１５６ｂを構成するコンパレータ１６０ｂ、１６１ｂはそれぞれ、（−）側に入力された直流レベル信号Ｓ1b、Ｓ2bの当該直流レベルと予め設定されている閾値の直流レベルＶ0とを比較し、その比較結果の電気信号をＡＮＤ回路１６２ｂに送出する。このＡＮＤ回路１６２ｂでは、コンパレータ１６０ｂ、１６１ｂからのそれぞれの電気信号として、「Ｓ1b＞Ｖ0、Ｓ2b＞Ｖ0」の関係を有していれば、信号線Ｌbを構成する２線Ｌ1b、Ｌ2bが平衡状態であると判断する一方、「Ｓ1b≦Ｖ0、Ｓ2b＞Ｖ0」又は「Ｓ1b＞Ｖ0、Ｓ2b≦Ｖ0」の関係を有していれば、２線Ｌ1b、Ｌ2bが不平衡状態であると判断して不平衡検出信号を生成し、警報制御回路１６ｂに送出する。
【００３７】
すなわち、第１の端末１ｂによれば、（受信側）フィルタ回路１４ｂ、（受信側）平衡／不平衡変換回路１１ｂを経由して信号線Ｌbを構成する２線Ｌ1b、Ｌ2bに接続されるデータ検出部１２ｂにて第２の端末２ｂからの伝送信号を正常に検出できた場合であっても、これを確認することが可能な警報制御回路１６ｂにて不平衡検出信号が検出された場合には、２線Ｌ1b、Ｌ2bの接続状態が異常であると判断し、その旨の報知、例えば、音響出力手段や映像表示手段を利用した警報報知を行うことができる。
【００３８】
なお、本発明の第２の実施例によれば、図２に示す第１の端末１ｂ及び第２の端末２ｂのうち、第２の端末２ｂを送信側の当該端末として適用した場合の動作について説明したが、この態様に限定されるものではない。すなわち、第１の端末１ｂ及び第２の端末２ｂは同様な構成であるため、第１の端末１ｂを送信側の当該端末として適用することもできる。この態様において、受信側の第２の端末２ｂによれば、（受信側）フィルタ回路２４ｂ、（受信側）平衡／不平衡変換回路２１ｂを経由して信号線Ｌbを構成する２線Ｌ1b、Ｌ2bに接続されるデータ検出部２２ｂにて第１の端末１ｂからの伝送信号を正常に検出できた場合であっても、これを確認することが可能な警報制御回路２６ｂにて不平衡検出信号が検出された場合には、２線Ｌ1b、Ｌ2bの接続状態が異常であると判断し、その旨の報知、例えば、音響出力手段や映像表示手段を利用した警報報知を行うことができる。
【００３９】
次に、本発明の第３の実施例によるインターホン装置について、図３の回路ブロック図を参照して説明する。
【００４０】
図３に示すインターホン装置は、第１の端末１ｃ及び第２の端末２ｃが２線Ｌ1c、Ｌ2cから構成される信号線Ｌcを経由して接続され、この信号線Ｌcを経由して第１の端末１ｃから第２の端末２ｃに映像データや制御データ等の伝送信号を送出する当該装置である。ここで、信号線Ｌcを構成する２線Ｌ1c、Ｌ2cとしては、例えば、２線平衡ケーブルが好適とされる。
【００４１】
第１の端末１ｃには、映像データや制御データ等の伝送信号を送出するためのデータ送出（バッファ）部１０ｃと、信号線Ｌcとの間のアイソレーションを確保してインピーダンスの整合を図り、データ送出部１０ｃから送出された伝送信号を信号線Ｌcに重畳するための送信トランス１１ｃと、当該第１の子機の電源Ｖ1cを電源供給するための電源部１２ｃとを備えている。この電源部１２ｃには、電源Ｖ1cに対応する基準電位点Ｇ1cが接続されている。また、送信トランス１１ｃにおいて、データ送出部１０ｃ側の当該巻線には、同様な基準電位点Ｇ1cが接続されている。
【００４２】
第２の端末２ｃには、信号線Ｌcとの間のアイソレーションを確保してインピーダンスの整合を図り、信号線Ｌcに重畳された第１の端末２ｃからの伝送信号を受信するための受信トランス２０ｃと、受信トランス２０ｃにて受信された伝送信号を検出するためのデータ検出（バッファ）部２１ｃと、信号線Ｌcを構成する２線Ｌ1c、Ｌ2cにそれぞれ接続され、２線Ｌ1c、Ｌ2cの平衡状態の有無を検出し、平衡状態でないと検出された場合に不平衡検出信号を生成するための平衡検出部２２ｃと、平衡検出部２２ｃからの不平衡検出信号により２線Ｌ1c、Ｌ2cの接続状態が異常であることを報知するための警報制御回路２３ｃと、平衡検出部２２ｃ及び警報制御回路２３ｃ間のアイソレーションを確保するためのアイソレーション回路２４ｃと、受信トランス２０ｃにおける信号線Ｌcを構成する２線Ｌ1c、Ｌ2c側の当該巻線及びデータ検出部２１ｃ側の当該巻線間を絶縁するとともに、アイソレーション回路２４ｃを構成するフォトカプラ２４０ｃの発光／受光素子間を絶縁するにあたって、データ検出部２１ｃ側の当該巻線及びフォトカプラ２４０ｃの受光素子への第１の電源Ｖ2c、２線Ｌ1c、Ｌ2cに接続される平衡検出部２２ｃ及びフォトカプラ２４０ｃの発光素子への第２の電源Ｖ3cをそれぞれ電源供給するための電源絶縁部２５ｃとを備えている。この電源絶縁部２５ｃには、第１、第２の電源Ｖ2c、Ｖ3cにそれぞれ対応する基準電位点Ｇ2c、Ｇ3cが接続されている。また、受信トランス２０ｃにおけるデータ検出部２１ｃ側の当該巻線、アイソレーション回路２４ｃを構成するフォトカプラ２４０ｃの受光素子には、第１の電源Ｖ2cに対応する基準電位点Ｇ2cが接続されている。さらに、アイソレーション回路２４ｃを構成するフォトカプラ２４０ｃの発光素子には、第２の電源Ｖ3cに対応する基準電位点Ｇ3cが接続されている。なお、警報制御回路２３ｃは、通常、データ検出部２１ｃにおける伝送信号の検出の有無を確認することができる。
【００４３】
この第２の端末２ｃにおいて、平衡検出部２２ｃは、信号線Ｌcを構成する２線Ｌ1c、Ｌ2cに接続される第１の端末１ｃの送信トランス１１ｃと受信トランス２０ｃの間から分岐して設けられ、第１の端末１ｃからの伝送信号が有する所定の周波数帯域、例えば、映像データであれば６〜１８ＭＨｚ、制御データであれば１．８〜２．０ＭＨｚにおいて当該伝送信号をハイインピーダンスで信号線Ｌcから取出すためのバッファ回路２２０ｃ、２２１ｃと、バッファ回路２２０ｃ、２２１ｃにて取出された伝送信号のうち前述の所定の周波数帯域のみを通過させるためのフィルタ回路２２２ｃ、２２３ｃと、フィルタ回路２２２ｃ、２２３ｃの出力信号を直流レベルに変換するためのレベル変換回路２２４ｃ、２２５ｃと、レベル変換回路２２４ｃ、２２５ｃの出力信号の直流レベルと所定の閾値レベルとを比較して信号線Ｌcを構成する２線Ｌ1c、Ｌ2cの平衡状態の有無を検出し、平衡状態でないと検出された場合に不平衡検出信号を生成し、アイソレーション回路２４ｃを経由して警報制御回路２３ｃに送出するための平衡検出回路２２６ｃとを有している。
【００４４】
また、第２の端末２ｃの平衡検出部２２ｃにおいて、平衡検出回路２２６ｃは、（−）側がレベル変換回路２２４ｃ、２２５ａの出力側に、（＋）側が（予め設定されている閾値の直流レベルである）基準電位点Ｖ0にそれぞれ接続され、信号線Ｌcを構成する２線Ｌ1c、Ｌ2cにそれぞれ対応して設けられる第２の電源Ｖ3cが動作電源となるコンパレータ２６０ｃ、２６１ｃと、コンパレータ２６０ｃ、２６１ｃの出力側に接続されるＡＮＤ回路２６２ｃとを有しており、このＡＮＤ回路２６２ｃの出力側には、アイソレーション回路２４ｃを経由して警報制御回路２３ｃが接続されている。
【００４５】
このように構成された本発明の第３の実施例によるインターホン装置において、以下、具体的な動作について説明する。
【００４６】
図３に示す第１の端末１ｃの送信トランス１１ｃは、データ送出部１０ｃからの映像データや制御データ等の伝送信号について信号線Ｌcを構成する２線Ｌ1c、Ｌ2cに重畳させるにあたり、データ送出部１０ａ側の当該巻線と信号線Ｌc側の当該巻線とが、異なる電源Ｖ1c、第２の電源Ｖ3c（及び基準電位点Ｇ1c、Ｇ3c）により絶縁されアイソレーションが確保されているため、このようにアイソレーションが確保されインピーダンスの整合を図った状態で第２の端末２ｃに平衡伝送される。
【００４７】
また、第２の端末２ｃの受信トランス２０ｃは、信号線Ｌcを構成する２線Ｌ1c、Ｌ2cに重畳されて第１の端末１ｃから平衡伝送されてきた伝送信号を受信するにあたり、データ検出部２０ｃ側の当該巻線と信号線Ｌc側の当該巻線とが、異なる第１、第２の電源Ｖ2c、Ｖ3c（及び基準電位点Ｇ2c、Ｇ3c）により絶縁されアイソレーションが確保されているため、このようにアイソレーションが確保されインピーダンスの整合を図った状態で受信してデータ検出部２１ｃに送出する。
【００４８】
ここで、第２の端末２ｃの平衡検出部２２ｃにおいて、バッファ回路２２０ｃ、２２１ｃはそれぞれ、信号線Ｌcを構成する２線Ｌ1c、Ｌ2cに重畳されて第１の端末１ｃから平衡伝送されてきた伝送信号が有する前述の所定の周波数帯域において当該伝送信号をハイインピーダンスで信号線から取出す、例えば、信号線Ｌcのインピーダンスが７５Ωの場合、それよりも大きい値の１ＭΩで取出し、フィルタ回路２２２ｃ、２２３ｃに送出する。このフィルタ回路２２２ｃ、２２３ｃはそれぞれ、バッファ回路２２０ｃ、２２１ｃにて取出された伝送信号のうち前述の所定の周波数帯域のみを通過させた後、レベル変換回路２２４ｃ、２２５ｃに送出することにより、当該レベル変換回路を経由して直流レベルに変換された直流レベル信号Ｓ1c、Ｓ2cが平衡検出回路２２６ｃを構成するコンパレータ２６０ｃ、２６１ｃの（−）側に入力される。
【００４９】
また、第２の端末２ｃの平衡検出部２２ｃにおいて、平衡検出回路２２６ｃを構成するコンパレータ２６０ｃ、２６１ｃはそれぞれ、（−）側に入力された直流レベル信号Ｓ1c、Ｓ2cの当該直流レベルと予め設定されている閾値の直流レベルＶ0とを比較し、その比較結果の電気信号をＡＮＤ回路２６２ｃに送出する。このＡＮＤ回路２６２ｃでは、コンパレータ２６０ｃ、２６１ｃからのそれぞれの電気信号として、「Ｓ1c＞Ｖ0、Ｓ2c＞Ｖ0」の関係を有していれば、信号線Ｌcを構成する２線Ｌ1c、Ｌ2cが平衡状態であると判断する一方、「Ｓ1c≦Ｖ0、Ｓ2c＞Ｖ0」又は「Ｓ1c＞Ｖ0、Ｓ2c≦Ｖ0」の関係を有していれば、線Ｌ1c、Ｌ2cが不平衡状態であると判断して不平衡検出信号を生成し、アイソレーション回路２４ｃを経由して警報制御回路２３ｃに送出する。ここで、アイソレーション回路２４ｃによれば、フォトカプラ２４０ｃを構成する警報制御回路２３ｃ側の受光素子と平衡検出部２２ｃ側の発光素子とが異なる第１、第２の電源Ｖ2c、Ｖ3c（及び基準電位点Ｇ2c、Ｇ3c）により絶縁されアイソレーションが確保されているため、このようにアイソレーションが確保された状態で不平衡検出信号を伝送することができる。
【００５０】
すなわち、第２の端末２ｃによれば、受信トランス２０ｃを経由して信号線Ｌcを構成する２線Ｌ1c、Ｌ2cに接続されるデータ検出部２１ｃにて第１の端末１ｃからの伝送信号を正常に検出できた場合であっても、これを確認することが可能な警報制御回路２３ｃにて不平衡検出信号が検出された場合には、２線Ｌ1c、Ｌ2cの接続状態が異常であると判断し、その旨の報知、例えば、音響出力手段や映像表示手段を利用した警報報知を行うことができる。
【００５１】
次に、本発明の第４の実施例によるインターホン装置について、図４の回路ブロック図を参照して説明する。
【００５２】
図４に示すインターホン装置は、第１の端末１ｄ及び第２の端末２ｄが２線Ｌ1d、Ｌ2dから構成される信号線Ｌdを経由して接続され、この信号線Ｌdを経由して第１の端末１ｄ及び第２の端末２ｄ間で映像データや制御データ等の伝送信号を送受信する当該装置である。ここで、信号線Ｌdを構成する２線Ｌ1d、Ｌ2dとしては、例えば、２線平衡ケーブルが好適とされる。
【００５３】
第１の端末１ｄ及び第２の端末２ｄは同様な構成であり、映像データや制御データ等の伝送信号を送出するためのデータ送出（バッファ）部１０ｄ、２０ｄと、信号線Ｌdとの間のアイソレーションを確保してインピーダンスの整合を図り、データ送出部１０ｄ、２０ｄから送出された伝送信号を信号線Ｌdに重畳するとともに、同様に信号線Ｌdとの間のアイソレーションを確保してインピーダンスの整合を図り、信号線Ｌdに重畳されて送信側の当該端末から伝送されてくる信号（伝送信号）を受信するための（送信／受信）トランス１１ｄ、２１ｄと、（受信）トランス１１ｄ、２１ｄにて受信された伝送信号を検出するためのデータ検出（バッファ）部１２ｄ、２２ｄと、データ送出部１０ｄ、２０ｄからの伝送信号が有する所定の周波数帯域、例えば、映像データであれば６〜１８ＭＨｚ、制御データであれば１．８〜２．０ＭＨｚのみを通過させ、データ検出部１２ｄ、２２ｄへのデータ帰還を防止するための（送信側）フィルタ回路１３ｄ、２３ｄと、（受信）トランス１１ｄ、２１ｄにて受信された伝送信号が有する前述の所定の周波数帯域のみを通過させてデータ検出部１２ｄ、２２ｄに送出する一方、（送信側）フィルタ回路１３ｄ、２３ｄからデータ検出部１２ｄ、２２ｄへのデータ帰還を防止するための（受信側）フィルタ回路１４ｄ、２４ｄと、信号線Ｌdを構成する２線Ｌ1d、Ｌ2dにそれぞれ接続され、２線Ｌ1d、Ｌ2dの平衡状態の有無を検出し、平衡状態でないと検出された場合に不平衡検出信号を生成するための平衡検出部１５ｄ、２５ｄと、平衡検出部１５ｄ、２５ｄからの不平衡検出信号により２線Ｌ1d、Ｌ2dの接続状態が異常であることを報知するための警報制御回路１６ｄ、２６ｄと、平衡検出部１５ｄ、２５ｄ及び警報制御回路１６ｄ、２６ｄ間のアイソレーションを確保するためのアイソレーション回路１７ｄ、２７ｄと、（送信／受信）トランス１１ｄ、２１ｄにおける信号線Ｌdを構成する２線Ｌ1d、Ｌ2d側の当該巻線及び（送信側／受信側）フィルタ回路１３ｄ、１４ｄ、２３ｄ、２４ｄ側の当該巻線間を絶縁するとともに、アイソレーション回路１７ｄ、２７ｄを構成するフォトカプラ１７０ｄ、２７０ｄの発光／受光素子間を絶縁するにあたって、（送信側／受信側）フィルタ回路１３ｄ、１４ｄ、２３ｄ、２４ｄ側の当該巻線及びフォトカプラ１７０ｄ、２７０ｄの受光素子への第１の電源Ｖ11d、Ｖ21d、２線Ｌ1d、Ｌ2dに接続される平衡検出部１５ｄ、２５ｄ及びフォトカプラ１７０ｄ、２７０ｄの発光素子への第２の電源Ｖ12d、Ｖ22dをそれぞれ電源供給するための電源絶縁部１８ｄ、２８ｄとを備えている。この電源絶縁部１８ｄ、２８ｄには、第１、第２の電源Ｖ11d、Ｖ21d、Ｖ12d、Ｖ22dにそれぞれ対応する基準電位点Ｇ11d、Ｇ21d、Ｇ12d、Ｇ22dが接続されている。また、（送信／受信）トランス１１ｄ、２１ｄにおける（送信側／受信側）フィルタ回路１３ｄ、１４ｄ、２３ｄ、２４ｄ側の当該巻線、アイソレーション回路１７ｄ、２７ｄを構成するフォトカプラ１７０ｄ、２７０ｄの受光素子には、第１の電源Ｖ11d、Ｖ21dに対応する基準電位点Ｇ11d、Ｇ21dが接続されている。さらに、アイソレーション回路１７ｄ、２７ｄを構成するフォトカプラ１７０ｄ、２７０ｄの発光素子には、���２の電源Ｖ12d、Ｖ22dに対応する基準電位点Ｇ12d、Ｇ22dが接続されている。なお、警報制御回路１６ｄ、２６ｄは、通常、データ検出部１２ｄ、２２ｄにおける伝送信号の検出の有無を確認することができる。
【００５４】
また、第１の端末１ｄ及び第２の端末２ｄの平衡検出部１５ｄ、２５ｄにおいて、平衡検出回路１５６ｄ、２５６ｄは、（−）側がレベル変換回路１５４ｄ、１５５ｄ、２５４ｄ、２５５ｄの出力側に、（＋）側が（予め設定されている閾値の直流レベルである）基準電位点Ｖ0にそれぞれ接続され、信号線Ｌdを構成する２線Ｌ1d、Ｌ2dにそれぞれ対応して設けられるコンパレータ１６０ｄ、１６１ｄ、２６０ｄ、２６１ｄと、コンパレータ１６０ｄ、１６１ｄ、２６０ｄ、２６１ｄの出力側に接続されるＡＮＤ回路１６２ｄ、２６２ｄとを有しており、このＡＮＤ回路１６２ｄ、２６２ｄの出力側には、アイソレーション回路１７ｄ、２７ｄを経由して警報制御回路１６ｄ、２６ｄが接続されている。
【００５５】
このように構成された本発明の第４の実施例によるインターホン装置において、以下、具体的な動作について説明する。
【００５６】
図４に示す第１の端末１ｄ及び第２の端末２ｄのうち、ここでは、第２の端末２ｄを送信側の当該端末として適用するにあたり、第２の端末２ｂの（送信）トランス２１ｄは、（送信側）フィルタ回路２３ｄを経由したデータ送出部２０ｄからの映像データや制御データ等の伝送信号について信号線Ｌdを構成する２線Ｌ1d、Ｌ2dに重畳させるにあたり、（送信／受信）フィルタ回路２３ｄ、２４ｄ側の当該巻線と信号線Ｌd側の当該巻線とが異なる第１、第２の電源Ｖ21d、Ｖ22d（及び基準電位点Ｇ21d、Ｇ22d）により絶縁されアイソレーションが確保されているため、このようにアイソレーションが確保されインピーダンスの整合を図った状態で第１の端末１ｄに平衡伝送される。
【００５７】
また、第１の端末１ｄの（受信）トランス１１ｄは、信号線Ｌdを構成する２線Ｌ1d、Ｌ2dに重畳されて第２の端末２ｄから平衡伝送されてきた伝送信号を受信するにあたり、（送信／受信）フィルタ回路１３ｄ、１４ｄ側の当該巻線と信号線Ｌd側の当該巻線とが異なる第１、第２の電源Ｖ11d、Ｖ12d（及び基準電位点Ｇ11d、Ｇ12d）により絶縁されアイソレーションが確保されているため、このようにアイソレーションが確保されインピーダンスの整合を図った状態で受信し、（受信側）フィルタ回路１４ｄを経由してデータ検出部１２ｄに送出する。
【００５８】
ここで、第１の端末１ｄの平衡検出部１５ｄにおいて、バッファ回路１５０ｄ、１５１ｄはそれぞれ、信号線Ｌdを構成する２線Ｌ1d、Ｌ2dに重畳されて第２の端末２ｄから平衡伝送されてきた伝送信号が有する前述の所定の周波数帯域において当該伝送信号をハイインピーダンスで信号線から取出す、例えば、信号線Ｌdのインピーダンスが７５Ωの場合、それよりも大きい値の１ＭΩで取出し、フィルタ回路１５２ｄ、１５３ｄに送出する。このフィルタ回路１５２ｄ、１５３ｄはそれぞれ、バッファ回路１５０ｄ、１５１ｄにて取出された伝送信号のうち前述の所定の周波数帯域のみを通過させた後、レベル変換回路１５４ｄ、１５５ｄに送出することにより、当該レベル変換回路を経由して直流レベルに変換された直流レベル信号Ｓ1d、Ｓ2dが平衡検出回路１５６ｄを構成するコンパレータ１６０ｄ、１６１ｄの（−）側に入力される。
【００５９】
また、第１の端末１ｄの平衡検出部１５ｄにおいて、平衡検出回路１５６ｄを構成するコンパレータ１６０ｄ、１６１ｄはそれぞれ、（−）側に入力された直流レベル信号Ｓ1d、Ｓ2dの当該直流レベルと予め設定されている閾値の直流レベルＶ0とを比較し、その比較結果の電気信号をＡＮＤ回路１６２ｄに送出する。このＡＮＤ回路１６２ｄでは、コンパレータ１６０ｄ、１６１ｄからのそれぞれの電気信号として、「Ｓ1d＞Ｖ0、Ｓ2d＞Ｖ0」の関係を有していれば、信号線Ｌdを構成する２線Ｌ1d、Ｌ2dが平衡状態であると判断する一方、「Ｓ1d≦Ｖ0、Ｓ2d＞Ｖ0」又は「Ｓ1d＞Ｖ0、Ｓ2d≦Ｖ0」の関係を有していれば、２線Ｌ1d、Ｌ2dが不平衡状態であると判断して不平衡検出信号を生成し、アイソレーション回路１７ｄを経由して警報制御回路１６ｄに送出する。ここで、アイソレーション回路１７ｄによれば、フォトカプラ１７０ｄを構成する警報制御回路１６ｄ側の受光素子と平衡検出部１５ｄ側の発光素子とが、異なる第１、第２の電源Ｖ11d、Ｖ12d（及び基準電位点Ｇ11d、Ｇ12d）により絶縁されアイソレーションが確保されているため、このようにアイソレーションが確保された状態で不平衡検出信号を伝送することができる。
【００６０】
すなわち、第１の端末１ｄによれば、（受信側）フィルタ回路１４ｄ、（受信）トランス１１ｄを経由して信号線Ｌdを構成する２線Ｌ1d、Ｌ2dに接続されるデータ検出部１２ｄにて第２の端末１ｄからの伝送信号を正常に検出できた場合であっても、これを確認することが可能な警報制御回路１６ｄにて不平衡検出信号が検出された場合には、２線Ｌ1d、Ｌ2dの接続状態が異常であると判断し、その旨の報知、例えば、音響出力手段や映像表示手段を利用した警報報知を行うことができる。
【００６１】
なお、本発明の第４の実施例によれば、図４に示す第１の端末１ｄ及び第２の端末２ｄのうち、第２の端末２ｄを送信側の当該端末として適用した場合の動作について説明したが、この態様に限定されるものではない。すなわち、第１の端末１ｄ及び第２の端末２ｄは同様な構成であるため、第１の端末１ｄを送信側の当該端末として適用することもできる。この態様において、受信側の第２の端末２ｄによれば、（受信側）フィルタ回路２４ｄ、（受信）トランス２１ｄを経由して信号線Ｌdを構成する２線Ｌ1d、Ｌ2dに接続されるデータ検出部２２ｄにて第１の端末１ｄからの伝送信号を正常に検出できた場合であっても、これを確認することが可能な警報制御回路２６ｄにて不平衡検出信号が検出された場合には、２線Ｌ1d、Ｌ2dの接続状態が異常であると判断し、その旨の報知、例えば、音響出力手段や映像表示手段を利用した警報報知を行うことができる。
【００６２】
前述までの説明から明らかなように、本発明の第１乃至第４の実施例によるインターホン装置においては、２線Ｌ1a、Ｌ2a、Ｌ1b、Ｌ2b、Ｌ1c、Ｌ2c、Ｌ1d、Ｌ2dから構成される信号線Ｌa、Ｌb、Ｌc、Ｌdを経由して接続された第１の端末１ａ、１ｂ、１ｃ、１ｄ及び第２の端末２ａ、２ｂ、２ｃ、２ｄ間において映像データや制御データ等の伝送信号の一方向の伝送動作又は双方向の伝送動作を行うにあたり、当該受信側の端末において２線Ｌ1a、Ｌ2a、Ｌ1b、Ｌ2b、Ｌ1c、Ｌ2c、Ｌ1d、Ｌ2dの平衡状態の有無を検出し、平衡状態でないと検出された場合に２線Ｌ1a、Ｌ2a、Ｌ1b、Ｌ2b、Ｌ1c、Ｌ2c、Ｌ1d、Ｌ2dの接続状態が異常であることを報知することができる。これにより、当該受信側の端末で正常にデータ受信ができた場合であっても、２線Ｌ1a、Ｌ2a、Ｌ1b、Ｌ2b、Ｌ1c、Ｌ2c、Ｌ1d、Ｌ2dの接続状態の異常検出及びその報知が可能となる。
【００６３】
本発明のインターホン装置においては、特定の実施の形態をもって説明してきたが、この形態に限定されるものでなく、本発明の効果を奏する限り、これまで知られた如何なる構成の当該装置であっても採用できるということはいうまでもないことである。
【符号の説明】
【００６４】
１ａ、１ｂ、１ｃ、１ｄ……第１の端末
２ａ、２ｂ、２ｃ、２ｄ……第２の端末
１１ａ、２０ａ、１１ｂ、２１ｂ……（送信側／受信側）平衡／不平衡変換回路
１１ｃ、２０ｃ、１１ｄ、２１ｄ……（送信／受信）トランス
２２ａ、１５ｂ、２５ｂ、２２ｃ、１５ｄ、２５ｄ……平衡検出部
２２０ａ、２２１ａ、１５０ｂ、１５１ｂ、２５０ｂ、２５１ｂ、２２０ｃ、
２２１ｃ、１５０ｄ、１５１ｄ、２５０ｄ、２５１ｄ……バッファ回路
２２２ａ、２２３ａ、１５２ｂ、１５３ｂ、２５２ｂ、２５３ｂ、２２２ｃ、
２２３ｃ、１５２ｄ、１５３ｄ、２５２ｄ、２５３ｄ……フィルタ回路
２２４ａ、２２５ａ、１５４ｂ、１５５ｂ、２５４ｂ、２５５ｂ、２２４ｃ、
２２５ｃ、１５４ｄ、１５５ｄ、２５４ｄ、２５５ｄ……レベル変換回路
２２６ａ、１５６ｂ、２５６ｂ、２２６ｃ、１５６ｄ、２５６ｄ……平衡検出回路
２６０ａ、２６１ａ、１６０ｂ、１６１ｂ、２６０ｂ、２６１ｂ、２６０ｃ、
２６１ｃ、１６０ｄ、１６１ｄ、２６０ｄ、２６１ｄ……コンパレータ
２６２ａ、１６２ｂ、２６２ｂ、２６２ｃ、１６２ｄ、２６２ｄ……ＡＮＤ回路
Ｌa、Ｌb、Ｌc、Ｌd……信号線
Ｌ1a、Ｌ2a、Ｌ1b、Ｌ2b、Ｌ1c、Ｌ2c、Ｌ1d、Ｌ2d……２線
【図１】
2012160833.tif 000003
【図２】
2012160833.tif 000004
【図３】
2012160833.tif 000005
【図４】
2012160833.tif 000006